(57)【要約】【課題】夾雑物吸い込み路の吸い込み口調節を行わずとも確実な夾雑物除去を発揮できる夾雑物除去装置を備えた精米機の提供。【解決手段】精米機は、精米時に精白室の出口４ａより排出される穀粒の中から籾殻，糠，ゴミなどの夾雑物を精白室を囲む除糠網４直下の吸引室５へ吸引して外部へ排出する夾雑物除去装置を備える。この夾雑物除去装置は、出口４ａに設けた傾斜姿勢の出口樋２３内を流下する穀粒の中から夾雑物Ｑを鉛直方向上方に吸い上げる夾雑物吸い上げ路Ｇと、夾雑物吸い上げ路Ｇの終端板２７ａ側左右で分かれて吸引室５にそれぞれ連通した一対の水平側流路Ｓ１，Ｓ２とを備える。【選択図】図４
2010051870.tif 000002
【特許請求の範囲】
【請求項１】
精米時に精白室の出口より排出される穀粒の中から籾殻，糠，ゴミなどの夾雑物を前記精白室を囲む除糠網直下の糠吸引室へ吸引して外部へ排出する夾雑物除去装置を備えた精米機において、
前記夾雑物除去装置は、前記出口に設けた傾斜姿勢の出口樋内を流下する前記穀粒の中から前記夾雑物を鉛直方向上方に吸い上げる夾雑物吸い上げ路と、前記夾雑物吸い上げ路の終端側左右で分かれて前記糠吸引室にそれぞれ連通した一対の搬送路とを備えていることを特徴とする夾雑物除去装置を備えた精米機。
【請求項２】
請求項１に記載の夾雑物除去装置を備えた精米機において、前記一対の搬送路は前記出口樋の側板の外側を水平方向に延びる水平搬送路であることを特徴とする夾雑物除去装置を備えた精米機。
【発明の詳細な説明】
【技術分野】
【０００１】
本発明は、精米機の出口樋を流下する穀粒中の籾殻，糠，ゴミなどの夾雑物を除去する夾雑物除去装置に関する。
【背景技術】
【０００２】
従来、精米機の出口樋側に設けられた夾雑物除去装置としては、図５に示す如く、出口樋１内の上位側に設けられた補助樋２と、この補助樋２と出口樋１との隙間で構成されて開口３を介して精白室を囲む除糠網４直下の糠吸引室５へ連通する夾雑物吸い込み路６と、この夾雑物吸い込み路７の吸い込み口の開度を調節する調節板７とを有する。精米時に精白室から排出される出口樋１内の穀粒Ｗに混ざる籾殻，糠，ゴミなどの夾雑物Ｑが流下方向と逆方方向の夾雑物吸い込み路６を介して吸引室５へ吸引され、外部へ排出される。
【発明の開示】
【発明が解決しようとする課題】
【０００３】
上記の夾雑物除去装置において、調節板７を動かして吸い込み口を拡げ過ぎると、夾雑物Ｑの外、ややもすると穀粒Ｗも夾雑物吸い込み路７内に入り込んで無駄に除去されてしまう不都合が生じ、一方、調節板７を動かして吸い込み口を絞り過ぎると、吸い込み口で夾雑物Ｑが詰まり吸い込み口を閉塞するので、夾雑物除去機能が有効に発揮できない。そのため、上記精米機では調節板７の開度調節を入念に行う必要があるものの、夾雑物の大きさ如何により開度調節の目安が判然としないため、現実には調整板７を無調節で行うことが多く、出口樋１から排出される穀粒Ｗに対する夾雑物除去は不確実であった。
【０００４】
そこで、上記問題点に鑑み、本発明の課題は、夾雑物吸い込み路の吸い込み口調節を行わずとも確実な夾雑物除去を発揮できる夾雑物除去装置を備えた精米機を提供することにある。
【課題を解決するための手段】
【０００５】
上記課題を解決するため、本発明は、精米時に精白室の出口より排出される穀粒の中から籾殻，糠，ゴミなどの夾雑物を精白室を囲む除糠網直下の糠吸引室へ吸引して外部へ排出する夾雑物除去装置を備えた精米機において、夾雑物除去装置は、出口に設けた傾斜姿勢の出口樋内を流下する穀粒の中から夾雑物を鉛直方向上方に吸い上げる夾雑物吸い上げ路と、夾雑物吸い上げ路の終端側左右で分かれて糠吸引室にそれぞれ連通した一対の搬送路とを備えていることを特徴とする。
【０００６】
夾雑物吸い上げ路は、出口樋内で流下する穀粒に対して鉛直方向上方に吸い上げる吸引力を十分作用させることができるので、流下する穀粒の中から比重の軽い夾雑物を鉛直方向上方へ吸い上げることができるものの、高比重で既に下降慣性のある穀粒が上方へ吸い上がることはなく、夾雑物吸い上げ路の吸い込み口は出口樋の底板から上方へ離れて出口樋の幅寸法に亘り配すれば十分で、調節は不要である。夾雑物吸い上げ路に吸い込まれた夾雑物は糠吸引室にそれぞれ連通した一対の搬送路を介して糠吸引室内に搬送された後、外部へ排出される。
【０００７】
一対の搬送路としては出口樋の側板の外側を水平方向に延びる水平搬送路であることが望ましい。一対の搬送路が水平搬送路として低吸引力で夾雑物を容易に水平輸送できるので、その分、夾雑物吸い上げ路の方に吸い上げ力を消費でき、その吸い込み口を出口樋の底板から上方へ大きく離すことができる。
【発明の効果】
【０００８】
本発明によれば、傾斜姿勢の出口樋内を流下する穀粒の中から夾雑物を鉛直方向上方に吸い上げる夾雑物吸い上げ路を設けたので、吸い込み口は出口樋の底板から上方へ離れて出口樋の幅寸法に亘り配すれば十分で、調節は不要である。
【発明を実施するための最良の形態】
【０００９】
次の本発明の実施例を添付図面に基づいて説明する。図１は本発明の実施例に係る夾雑物除去装置を備えた精米機を示す縦断側面図、図２は同夾雑物除去装置を備える精白調整ユニットの概観斜視図、図３は同夾雑物除去装置を備える精白調整ユニットの組立斜視図、図４は同夾雑物除去装置を備える精白調整ユニットを一部切り欠いて示す斜視図である。
【００１０】
本例の精米機は、従来通り、精米機本体の筐体１０内において、精白ロール（図示せず）を横架した精白室（図示せず）を取り囲む除糠網４と、この除糠網４の直下の漏斗状の糠吸引室５と、配管５ａを介して接続した吸引ファン（図示せず）とを有しており、この精米機には、吸引ファンから別の配管を介して接続したサイクロン（図示せず）が配置されている。
【００１１】
精白室の出口４ａには図４に示す精白調整ユニット２０が筐体１０にネジ止めされている。この精白調整ユニット２０は、精白室の出口４ａを塞ぎ精白室内に圧迫を加えるための圧迫板２１を内蔵し、この圧迫板２１の出口４ａに対する押圧力を調整する白度ダイヤル２２を有する。精白調整ユニット２０は、図３に示す如く、出口樋２３を持ち圧迫板２１を収容する板金製の箱体２４と、白度ダイヤル２２などを持ち箱体２４の前面開口２４ａを塞いで止めネジ２６で箱体２４の上面に止める板金製のカバー２５とから成る。断面コ字状の出口樋２３は下り勾配に傾斜し、その上端は出口４ａの真下に位置している。箱体２４の両側面の下端側には、通孔１０ａ，１０ｂを介して糠吸引室５に連通する水平側流路Ｓ１，Ｓ２を形成する板金覆いＷ１，Ｗ２が固着されている。この板金覆いＷ１，Ｗ２は前面開口２４ａよりも前方に突出している。前面開口２４ａを塞ぐカバー２５の下端２５ａは出口樋２３の両側板に形成した切り込みＶに差し込まれている。この下端２５ａ側には、夾雑物吸い上げ路Ｇを形成する板金覆い２７が固着されている。板金覆い２７は、終端板２７ａと、幅広前板２７ｂと、両側板２７ｃ，２７ｄとで囲んで、板金覆いＷ１，Ｗ２の突出部分を覆っており、幅広前板２７ｂから下方に延在した央部突片２７ｅが出口樋２３内の深さ途中まで差し込まれている。なお、幅広前板２７ｂ（央部突片２７ｅ）は透明材質でも良く、また上端側にヒンジを設け下端側を旋回自在としても良い。
【００１２】
精白時においては、吸引室５が負圧になるため、夾雑物吸い上げ路Ｇから水平側流路Ｓ１，Ｓ２を通り、通孔１０ａ，１０ｂを介して糠吸引室５へ吸い込み流が発生するため、夾雑物吸い上げ路Ｇは、出口樋２３内で流下する穀粒Ｗに対して鉛直方向上方に吸い上げる吸引力を十分作用させることができるので、流下する穀粒Ｗの中から比重の軽い夾雑物Ｑを鉛直方向上方へ吸い上げることができる。高比重で既に下降慣性のある穀粒Ｗを上方へ吸い上げることはなく、夾雑物吸い上げ路Ｇの吸い込み口は出口樋２３の底板から上方へ離れて出口樋２３の幅寸法に亘り配すれば十分で、調節は不要である。夾雑物吸い上げ路Ｇに吸い込まれた夾雑物Ｑは吸引室５にそれぞれ連通した一対の水平側流路Ｓ１，Ｓ２を介して吸引室５内に搬送された後、サイクロン（図示せず）へ排出される。このため、夾雑物吸い込み路Ｇの吸い込み口調節を行わずとも確実な夾雑物除去を発揮できる。
【００１３】
本例では出口樋２３の側板の外側を水平方向に延びる水平側流路Ｓ１，Ｓ２となっているため、低吸引力で夾雑物Ｑを容易に水平輸送でき、その分、夾雑物吸い上げ路Ｇの方に吸い上げ力を消費でき、その吸い込み口を出口樋２３の底板から上方へ大きく離すことができる。
【図面の簡単な説明】
【００１４】
【図１】本発明の実施例に係る夾雑物除去装置を備えた精米機を示す縦断側面図である。
【図２】同夾雑物除去装置を備える精白調整ユニットの概観斜視図である。
【図３】同夾雑物除去装置を備える精白調整ユニットの組立斜視図である。
【図４】同夾雑物除去装置を備える精白調整ユニットを一部切り欠いて示す斜視図である。
【図５】従来の夾雑物除去装置を備えた精米機を示す縦断側面図である。
【符号の説明】
【００１５】
４…除糠網
４ａ…出口
５…糠吸引室
５ａ…配管
１０…筐体
１０ａ，１０ｂ…通孔
２０…精白調整ユニット
２１…圧迫板
２２…白度ダイヤル
２３…出口樋
２４…箱体
２４ａ…前面開口
２６…止めネジ
２５…カバー
２５ａ…下端
２７，Ｗ１，Ｗ２…板金覆い
２７ａ…終端板
２７ｂ…幅広前板
２７ｃ，２７ｄ…側板
２７ｅ…央部突片
Ｇ…夾雑物吸い上げ路
Ｑ…夾雑物
Ｓ１，Ｓ２…水平側流路
Ｖ…切り込み
Ｗ…穀粒
【図１】
2010051870.tif 000003
【図２】
2010051870.tif 000004
【図３】
2010051870.tif 000005
【図４】
2010051870.tif 000006
【図５】
2010051870.tif 000007